(57)【要約】【課題】開状態にあるときに存在する開口を自動的に遮蔽することを可能にする簡単な構造のスライド式の携帯端末を提供すること。【解決手段】表示側筐体２とキー側筐体３とのスライド動作により携帯端末１の全長の伸長及び短縮を可能にしている。この携帯端末は、スライド動作に追従して変位するバネ８を備えている。バネには、携帯端末が伸長した状態で存在する開口５を内側から遮蔽する遮蔽部品９が取り付けられている。【選択図】図４
2010161603.tif 000002
【特許請求の範囲】
【請求項１】
表示側筐体と前記表示側筐体に対しスライド動作を可能にしたキー側筐体とを含み、前記スライド動作により全長の伸長及び短縮を可能にされた携帯端末において、前記スライド動作に追従して変位するバネと、前記バネに取り付けられ、前記伸長の状態で存在する開口を内側から遮蔽する遮蔽部品とを備えたことを特徴とする携帯端末。
【請求項２】
前記遮蔽部品は、前記バネを部分的に覆うバネ隠し部材と、前記バネ隠し部材に係合し、前記バネ隠し部材と協働して前記バネを保持する取り付け部材とを有している、請求項１に記載の携帯端末。
【請求項３】
前記遮蔽部品は、前記バネを部分的に覆うバネ隠し部と、前記バネ隠し部に形成され、前記バネに係合した爪構造とを有している、請求項１に記載の携帯端末。
【請求項４】
前記開口は、前記表示側筐体と前記キー側筐体との間の隙間である、請求項１−３のいずれか一項に記載の携帯端末。
【請求項５】
前記バネは、前記表示側筐体と前記キー側筐体との間に配置され、前記スライド動作を助成するものである、請求項１−４のいずれか一項に記載の携帯端末。
【請求項６】
前記バネは、前記伸長の状態で前記隙間に接近する特定部を有し、前記遮蔽部品は前記特定部に備えられている、請求項１−５のいずれか一項に記載の携帯端末。
【請求項７】
前記バネは、前記表示側筐体に接続された第１の直線状部分と、前記キー側筐体に接続された第２の直線状部分と、前記第１の直線状部分と前記第２の直線状部分との間に接続されたコイル状部分とを含み、前記遮蔽部品は前記第１の直線状部分に備えられている、請求項１−６のいずれか一項に記載の携帯端末。
【発明の詳細な説明】
【技術分野】
【０００１】
本発明は、表示側筐体とキー側筐体とをスライド動作による開閉を可能に結合して全長を伸縮可能にした携帯端末に関するものである。
【背景技術】
【０００２】
この種の携帯端末においては、キー側筐体と表示側筐体との隙間などの開口が残ることは避け難い。しかも、携帯端末の開状態にあるときには、開口は大きくなる。そのため、開口を通して見える内部構造が携帯端末の外観に悪影響を与えている。また、その開口部を通して異物が浸入すると、携帯端末の内部の電気部品に傷つき等の損傷を与える虞がある。
【０００３】
特許文献１には、表示部を設けた第１筐体とキー操作部を設けた第の筐体とを含む携帯端末が開示されている。その携帯端末は、第１筐体に対し第２筐体をスライド動作させることにより全長の伸長及び短縮が可能である。携帯端末を伸長させると、第２筐体のキー操作部が露出するため、キー操作部の操作が可能になる。同時に、第１筐体の背面がシート部材により自動的に覆われため、内部の導体パターンの露出が防止される。
【０００４】
特許文献２には、表示側筐体と入力側筐体とをスライド移動を許容するヒンジ装置で接続した携帯電話機が開示されている。ヒンジ装置は、携帯電話機の閉状態では、表示側筐体と入力側筐体とが完全に重なって停止する。入力側筐体に対し表示側筐体をスライド移動させると、携帯電話機が開状態になる。なお、ヒンジ装置は、携帯電話機の開閉をセミオート化するためのトーションバネを備えている。
【０００５】
特許文献３は、操作面を設けた第１筐体と表示部を設けた第２筐体とをスライド可能に結合した伸縮可能な携帯端末が開示されている。第１筐体は、ＩＣカードを挿入するための開口部を有している。携帯端末が短縮されているときには、第１筐体の開口部は、第２筐体に設けた蓋部により塞がれている。携帯端末を伸長させると、第１筐体の開口部が露出し、この開口を通してＩＣカードを挿入することが可能になる。
【先行技術文献】
【特許文献】
【０００６】
【特許文献１】特開２００５−１３６６００号公報
【特許文献２】特開２００８−１９６５２５号公報
【特許文献３】特開２００８−２１９９４８号公報
【発明の概要】
【発明が解決しようとする課題】
【０００７】
特許文献１においては、シート部材の他に、シート部材を巻き取る巻き取り機構を備えなければならず、構造が複雑になってしまう。
【０００８】
特許文献２においては、携帯電話機の開状態で表示側筐体と入力側筐体との隙間などの開口を通して異物が浸入する虞があり、またその隙間を通して内部構造を視認できるため外観に悪影響を与える。
【０００９】
特許文献３においては、携帯端末を伸長させた状態で第１筐体の開口が露出しているので、この開口を通して異物が浸入する虞がある。
【００１０】
それ故に本発明の課題は、開状態にあるときに存在する開口を自動的に遮蔽することを可能にする簡単な構造のスライド式の携帯端末を提供することにある。
【課題を解決するための手段】
【００１１】
本発明の例示的態様によれば、表示側筐体と前記表示側筐体に対しスライド動作を可能にしたキー側筐体とを含み、前記スライド動作により全長の伸長及び短縮を可能にされた携帯端末において、前記スライド動作に追従して変位するバネと、前記バネに取り付けられ、前記伸長の状態で存在する開口を内側から遮蔽する遮蔽部品とを備えたことを特徴とする携帯端末が得られる。
【発明の効果】
【００１２】
本発明の例示的態様に係る携帯端末によると、表示側筐体とキー側筐体とのスライド動作にバネが追従して変位し遮蔽部品を移動させることにより、開状態にあるときに存在する開口を自動的に遮蔽することが簡単な構造でもって可能になる。
【図面の簡単な説明】
【００１３】
【図１】本発明の例示的実施形態に係る携帯端末の開状態における斜視図であり、該携帯端末は表示側筐体とキー側筐体とを含んでいる。
【図２】図１の携帯端末の異なる方向から見た斜視図である。
【図３】図２の一部のみの拡大図である。
【図４】図１の携帯端末からキー側筐体を取り外した開状態における底面図（ａ）及び図１の携帯端末からキー側筐体を取り外した閉状態における底面図（ｂ）である。
【図５】図１の携帯端末に含まれた遮蔽部品の一例を示す平面図である。
【図６】図１の携帯端末に含まれたバネと共に遮蔽部品の変形例を示す斜視図である。
【発明を実施するための形態】
【００１４】
図１〜図３を参照して、本発明の例示的実施形態に係る携帯端末の概要を説明する。
【００１５】
図示の携帯端末１は、表示部２ａを有する表示側筐体２と、キー操作部３ａを有するキー側筐体３とを含んでいる。表示側筐体２とキー側筐体３とは所定方向（スライド方向）４において往復スライド動作を可能にされ、これにより携帯端末１の全長の伸長及び短縮を可能にしている。以下では、図１に示すように表示側筐体２とキー側筐体３とが一部のみ重なった状態を携帯端末開状態と呼び、また、スライド方向４でのスライド動作により表示側筐体２とキー側筐体３の全体が実質的に重なった状態を携帯端末閉状態と呼ぶ。
【００１６】
携帯端末開状態では表示側筐体２とキー側筐体３との間に比較的大きな隙間からなるスライド方向４での一方を向いた開口５が残ることは避け難い。因みに、携帯端末閉状態では表示側筐体２とキー側筐体３の全体が実質的に重なるため、表示側筐体２とキー側筐体３とを符合するように形成することで両者間の隙間を狭くして開口５を実質的に閉塞することができる。
【００１７】
図４をも参照して、携帯端末１の内部構造に言及する。なお、図４では、内部構造を明瞭に示すために操作側筐体を省略している。
【００１８】
携帯端末１は、さらに、表示側筐体２と操作側筐体３とをスライド動作が可能であるように結合するスライド機構６と、表示側筐体２と操作側筐体３とを電気的に接続したフレキシブル基板７とを含んでいる。スライド機構６は操作側筐体３に固定され、携帯端末１の開閉にしたがい表示側筐体２に沿ってスライドする。具体的には、スライド機構６は、携帯端末閉状態では表示側筐体２に対し図４（ａ）の位置にあるが、携帯端末開状態では表示側筐体２に対し図４（ｂ）の位置に移動する。
【００１９】
表示側筐体２とスライド機構６との間には、スライド動作に追従して変位するバネ８が備えられている。バネ８はスライド動作を助成して携帯電話機の開閉をセミオート化するためのトーションバネとして働くものである。バネ８には、上述した開口５を内側から遮蔽するための遮蔽部品９が取り付けられている。
【００２０】
図５を参照して、バネ８と遮蔽部品９とについて説明する。
【００２１】
バネ８は、第１の直線状部分８ａと、第２の直線状部分８ｂと、これらの間に一体に形成されたコイル状部分８ｃとを含んでいる。遮蔽部品９は、バネ８の第１の直線状部分８ａとコイル状部分８ｃとを部分的に覆うバネ隠し部材と９ａと、バネ隠し部材９ａに係合する取り付け部材９ｂとを有している。バネ隠し部材９ａと取り付け部材９ｂとは互いに協働してバネ８を保持する。かくして、バネ隠し部材９ａは第１の直線状部分８ａに取り付けられる。なお、遮蔽部品９、特に、バネ隠し部材９ａについては、剛性が低くて柔らかい材料例えば樹脂を使用して作り、バネ８の複雑な形状変化に追従させるようにしてもよい。
【００２２】
図４に戻り、携帯端末１の内部構造について説明を続ける。
【００２３】
第１の直線状部分８ａの自由端８ｄは、表示側筐体２に設けた位置決めピン１１に係合している。第２の直線状部分８ｂの自由端８ｅは、スライド機構６に設けた係合ピン１２に係合している。第１の直線状部分８ａと第２の直線状部分８ｂとは互いにほぼ直交する方向にのびた状態で備えられている。
【００２４】
図１〜図５を参照して説明した携帯端末１によると、携帯端末閉状態を示す図４（ａ）では第１の直線状部分８ａは概ねスライド方向４にのびている。一方、携帯端末開状態を示す図４（ｂ）では第１の直線状部分８ａは概ねスライド方向４に直交した幅方向１３にのびるように姿勢が変更される。このとき、図４（ｂ）に太い破線で示した位置に上述した開口５が形成される。しかし、表示側筐体２とキー側筐体３とのスライド動作に連携してバネ隠し部材９ａが開口５とバネ８との間に介在し、バネ８の特定部分を隠すため、開口５を通してバネ８が見える状態の出現を防止できる。また、携帯端末開状態においてバネ隠し部材９ａが開口５に接近するように設計することで、開口５からの異物進入を防止することもできるので、フレキシブル基板の傷つきや断線を防止できる。
【００２５】
このように、スライド構造の薄型の携帯端末のデッドスペースを有効活用し、表示側筐体とキー側筐体の隙間から見えるバネを隠す事で外観を保つと共に、キー側筐体と表示側筐体とを繋ぐ重要な部品であるフレキシブル基板を防護している。
【００２６】
上述では遮蔽部品９をバネ隠し部材９ａと取り付け部材９ｂとの２部品で構成しているためバネ８に対する取り付けが強固になされるが、図６に示すように１部品で単純に構成することもできる。
【００２７】
図６を図５と共に参照して説明すると、遮蔽部品９−１は、バネ８の第１の直線状部分８ａ及びコイル状部分８ｃを部分的に覆うバネ隠し部９−１ａを有している。バネ隠し部９−１ａには、バネ８の第１の直線状部分に係合する一つ又は複数の爪構造９−１ｂ、９−１ｃが一体に形成されている。
【００２８】
上述では特定の実施形態を用いて説明したが、本発明の範囲がこれらの実施形態に限定されないことは言うまでもない。
【産業上の利用可能性】
【００２９】
この発明は、スライド機構を有する携帯電話機などの小型電子機器のみならず、ノートタイプのパーソナルコンピュータ、ＰＤＡ、デジタルカメラ、デジタルビデオカメラなどにも適用可能である。
【符号の説明】
【００３０】
１  携帯端末
２  表示側筐体
２ａ  表示部
３  キー側筐体
３ａ  キー操作部
４  スライド方向
５  開口
６  スライド機構
７  フレキシブル基板
８  バネ
８ａ  第１の直線状部分
８ｂ  第２の直線状部分
８ｃ  コイル状部分
８ｄ、８ｅ  自由端
９  遮蔽部品
９ａ  バネ隠し部材と
９ｂ  取り付け部材
９−１  遮蔽部品
９−１ａ  バネ隠し部
９−１ｂ、９−１ｃ  爪構造
１１  位置決めピン
１２  係合ピン
１３  幅方向
【図１】
2010161603.tif 000003
【図２】
2010161603.tif 000004
【図３】
2010161603.tif 000005
【図４】
2010161603.tif 000006
【図５】
2010161603.tif 000007
【図６】
2010161603.tif 000008